(57)【要約】【課題】    発声することによって最も振動が伝わる首周囲部に当接させ、正確な音声の音声信号を出力するネックバンド付の咽喉マイクロホンを提供すること。【解決手段】  ネックバンド３１の一端部に固着した取付部３５に取付軸３６を設けると共に、この取付軸３６にはリング状の凹形部３７を形成し、咽喉マイクロホン３０のコ−ドケ−ス３２には、上記取付軸３６を嵌入させる取付孔３３を設けると共に、この取付孔３３内に突出させる固定用ねじ３４を設け、上記取付孔３３に取付軸３６を嵌入させ、固定用ねじ３４をねじ込んで咽喉マイクロホン３０をネックバンド３１に回転自在に仮り保持させた状態で、ネックバンド３１を首にかけ、その後、咽喉マイクロホン３０を回転させてその正面の向きを調節した後、固定用ねじ３４を最後までねじ込んで咽喉マイクロホンの取付けを固定させる構成となっている。【選択図】        図２
2005117536.tif 000002
【特許請求の範囲】
【請求項１】
ネックバンドの一端側に咽喉マイクロホンを備え、ネックバンドを首にかけて咽喉マイクロホンを首周囲の皮膚表面に当接させ、咽喉マイクロホンから音声信号を出力させる咽喉マイクロホンにおいて、
ネックバンドの延長方向軸に対して咽喉マイクロホンの正面側を旋回可能とし、かつ、咽喉マイクロホンの所定の回動位置でネックバンド一端部に取付け固着することができる取付手段を設けたことを特徴とする咽喉マイクロホン。
【請求項２】
請求項１に記載した咽喉マイクロホンにおいて、
咽喉マイクロホンとネックバンドのいずれか一方には、取付軸を設け、その他方には、前記取付軸を回転自在に嵌入させる取付孔と、その取付孔の孔径方向に突入させる固定用ねじ部材とを設け、
前記取付軸を取付孔に嵌入させ前記固定用ねじ部材をねじ込みして取付軸を固定させ、ネックバンド一端部に咽喉マイクロホンを取付ける構成としたことを特徴とする咽喉マイクロホン。
【請求項３】
請求項２に記載した咽喉マイクロホンにおいて、
取付軸にはリング状の凹形部を形成し、
前記固定用ねじ部材をその凹形部底に突き当たるようにねじ込む構成としたことを特徴とする咽喉マイクロホン。
【請求項４】
請求項２に記載した咽喉マイクロホンにおいて、
取付軸には、その軸方向に所定の間隔をおいて複数のリング状凹形部を設け、
ネックバンドの延長方向に位置調節した咽喉マイクロホンの位置にしたがって前記凹形部のいずれか一つの凹形部内に固定用ねじ部材をねじ込む構成としたことを特徴とする咽喉マイクロホン。
【請求項５】
請求項２〜４のいずれかに記載した咽喉マイクロホンにおいて、
取付軸外周と取付孔内周にロ−レットを形成したことを特徴とする咽喉マイクロホン。
【請求項６】
請求項１〜５のいずれかに記載した咽喉マイクロホンにおいて、
ネックバンドの長さを伸縮自在に構成したことを特徴とする咽喉マイクロホン。
【発明の詳細な説明】
【技術分野】
【０００１】
本発明は、発音にしたがって生ずる咽喉部の振動を受振して音声信号を出力するネックバンド付の咽喉マイクロホンに関する。
【背景技術】
【０００２】
図７は咽喉マイクロホン１０の従来例を示す断面図である。
この咽喉マイクロホン１０は、振動電気変換器１１がケ−ス１２内に設けられ、この振動電気変換器１１の前側に接触子１３が突出している。
【０００３】
また、咽喉部周囲の皮膚表面に当接させる正面側が、接触子１３の前側を覆うようにしてケ−ス１２の側面に固着したゴムカバ−１４によって形成されている。
【０００４】
さらに、振動電気変換器１１に電気接続して音声信号を出力させる出力コ−ド１５がケ−ス１２の背面側に設けたコ−ドケ−ス１６より引き出されている。
なお、コ−ドケ−ス１６はケ−ス１２にねじ止めされている。
【０００５】
上記した咽喉マイクロホン１０は、図８に示すように、ネックバンド１７の一端部に取付けられ、このネックバンド１７を首にかけて装着する。
ネックバンド１７は、細長形の弾性板１８と、上記した出力コ−ド１５とを内装させた柔軟性材からなる管状のネックバンドカバ−１９より構成されている。
【０００６】
そして、弾性板１８の一端部には取付部２０が設けられ、咽喉マイクロホン１０がこの取付部２０に取付けられている。
また、弾性板１８の他端部にはネックパッド２１が取付けられ、さらに、出力コ−ド１５の先端側には出力プラグ２２が設けられている。
【０００７】
上記した咽喉マイクロホン１０は、図９に示す如く、ネックバンド１７を首２３にかけ、咽喉マイクロホン１０とネックパッド２１とで左右の首部を軽く挟持するようにして装着する。
このように装備することにより、咽喉マイクロホン１０が咽喉部周囲の皮膚表面２４に当接する。
【０００８】
したがって、発声によって生ずる咽喉部の声帯の振動が接触子１３によって受振され、その受振による振動が振動電気変換器１１によって電気変換され、その電気変換信号が音声信号として出力プラグ２２より出力される。
【０００９】
ただ、上記の咽喉マイクロホン１０はネックバンド１７の一端部に固着されているために、最も良好な首部の受振位置にセットできないことがある。
すなわち、人によって咽喉部の寸法が異なること、また、人により声帯の振動が最も良好に伝わる皮膚表面位置が異なることなどのために、装着する人によって音声信号の感度、周波数特性が異なり、安定した音声信号を取り出すことができない。
【００１０】
ちなみに、人が発声する場合、声帯の振動のみによるものではなく、声道及び口腔の共振特性によって母音（ア、イ、ウ、エ、オ）を発音し、また、子音は口腔内の舌及び唇の位置と振動によって発音される。
したがって、このように発音される音声は、高調波を多く含んだのこぎり波の音声信号として咽喉マイクロホン１０より出力される。
【００１１】
このことから、咽喉マイクロホン１０によって音声を正確に取り出すには、咽喉マイクロホン１０を咽喉部周囲の皮膚表面の声帯に近い部分に当接させるのではなく、声道部及び口腔部に近いところ、つまり、顎の下部に近い皮膚表面に当接させる必要がある。
【００１２】
しかし、上記した従来の咽喉マイクロホン１０は、ネックバンド１７を首に巻くようにして装着し、かつ、ネックバンド１７に固着されているために、図８に示したように、咽喉部周囲の皮膚表面に当接され、声道部及び口腔部から離れた位置となり、音声の明瞭度、感度の低下する音声信号となる。
【００１３】
図１０は上記のように装着する咽喉マイクロホン１０の音声信号を測定した測定結果を示した周波数特性図である。
なお、この周波数特性は、音声「あ」を発音したときの測定結果である。
この特性図から分かるように、中音部（８００Ｈｚ〜３ｋＨｚ）のレベルが低いために明瞭度が悪いことが分かる。
【特許文献１】特開２００１−１８９９６号公報
【発明の開示】
【発明が解決しようとする課題】
【００１４】
上記したように、ネックバンド付の咽喉マイクロホンは、人によって咽喉部の寸法が異なったり、声帯の振動が最も良く伝わる皮膚表面位置が異なったりするため、安定した感度、周波数特性の音声信号を取り出すことができない。
【課題を解決するための手段】
【００１５】
本発明は上記の課題を解決するため、第１の発明として、ネックバンドの一端側に咽喉マイクロホンを備え、ネックバンドを首にかけて咽喉マイクロホンを首周囲の皮膚表面に当接させ、咽喉マイクロホンから音声信号を出力させる咽喉マイクロホンにおいて、ネックバンドの延長方向軸に対して咽喉マイクロホンの正面側を旋回可能とし、かつ、咽喉マイクロホンの所定の回動位置でネックバンド一端部に取付け固着することができる取付手段を設けたことを特徴とする咽喉マイクロホンを提案する。
【００１６】
第２の発明は、上記第１の発明の咽喉マイクロホンにおいて、咽喉マイクロホンとネックバンドのいずれか一方には、取付軸を設け、その他方には、前記取付軸を回転自在に嵌入させる取付孔と、その取付孔の孔径方向に突入させる固定用ねじ部材とを設け、前記取付軸を取付孔に嵌入させ前記固定用ねじ部材をねじ込みして取付軸を固定させ、ネックバンド一端部に咽喉マイクロホンを取付ける構成としたことを特徴とする咽喉マイクロホンを提案する。
【００１７】
第３の発明は、上記第２の発明の咽喉マイクロホンにおいて、取付軸にはリング状の凹形部を形成し、前記固定用ねじ部材をその凹形部底に突き当たるようにねじ込む構成としたことを特徴とする咽喉マイクロホンを提案する。
【００１８】
第４の発明は、上記第２の発明の咽喉マイクロホンにおいて、取付軸には、その軸方向に所定の間隔をおいて複数のリング状凹形部を設け、ネックバンドの延長方向に位置調節した咽喉マイクロホンの位置にしたがって前記凹形部のいずれか一つの凹形部内に固定用ねじ部材をねじ込む構成としたことを特徴とする咽喉マイクロホンを提案する。
【００１９】
第５の発明は、上記した第２〜第４の発明のいずれかに記載した咽喉マイクロホンにおいて、取付軸外周と取付孔内周にロ−レットを形成したことを特徴とする咽喉マイクロホンを提案する。
【００２０】
第６の発明は、上記した第１〜第５の発明のいずれかに記載した咽喉マイクロホンにおいて、ネックバンドの長さを伸縮自在に構成したことを特徴とする咽喉マイクロホンを提案する。
【発明の効果】
【００２１】
咽喉マイクロホンを回転させてその正面側の旋回位置を適度に調節した後、この咽喉マイクロホンをネックバンドの一端部に固着する。
具体的には、ネックバンドを首にかけ、咽喉マイクロホンを首周囲部の皮膚表面に当接させた状態で、咽喉マイクロホンを回転させ、マイクロホン正面が発声による振動の最も伝わる首周囲位置に当接するようにした後、ネックバンドに対して咽喉マイクロホンを固着する。
【００２２】
このように咽喉マイクロホンの当接状態を調節すれば、発声による声帯の振動と声道及び口腔の共振による振動とが咽喉マイクロホンの接触子によって確実に受振されるので、高い感度と優れた周波数特性の音声信号を得ることができる。
【００２３】
特に、第３の発明の咽喉マイクロホンによれば、固定用ねじ部材を凹形部から抜けない程度に弛めれば、咽喉マイクロホンをネックバンドに対して回転自在に仮り止めすることができ、この状態で咽喉マイクロホンの当接位置を調節し、その調節位置で取付け固定させることができる。
【００２４】
また、第４の発明及び第６の発明の咽喉マイクロホンによれば、マイクロホン正面の向き調節の他にネックバンドの延長軸方向についても位置調節することができるので、なお一層受振感度の高い当接位置に調節することができる。
【発明を実施するための最良の形態】
【００２５】
咽喉部の上部となる首表面、つまり、顎の下となる皮膚表面に当接させて音声を可能なるかぎり正確に取り出すことができる咽喉マイクロホンを実現した。
【００２６】
図１は咽喉マイクロホン３０をネックバンド３１から取り外した状態を示す斜視図、図２はネックバンド３１に取付けた状態を示す咽喉マイクロホン３０の断面図である。
【００２７】
なお、この実施形態の咽喉マイクロホン３０は、図７、図８に示した従来例の咽喉マイクロホン１０と同様に、ネックバンド３１の一端部に咽喉マイクロホン３０を、その多端部にネックパッド２１（図示省略）を各々取付け、また、出力コ−ド１５の先端部には出力プラグ２２（図示省略）を設けたネックバンド付の咽喉マイクロホンとなっている。
【００２８】
咽喉マイクロホン３０の受振部と振動電気変換部は、従来例の咽喉マイクロホン１０と同様に構成した公知構成のもので、ケ−ス１２内に振動電気変換器１１を備え、前側には接触子１３とゴムカバ−１４とを設けた構成としてある。
また、ケ−ス１２の背面側には、このケ−ス１２にねじ止めした箱状のコ−ドケ−ス３２を設け、振動電気変換器１１に接続した出力コ−ド１５をそのコ−ドケ−ス３２より引き出すようにしてある。
【００２９】
一方、コ−ドケ−ス３２には、その側面に孔口を形成した長形円孔の取付孔３３を設け、さらに、その取付孔３３の孔軸に直交する方向から当該取付孔内にねじ込み進出させる固定用ねじ３４が設けてある。
【００３０】
他方、ネックバンド３１の弾性板１８に固着してある取付部３５には、ネックバンド３１の延長軸方向に突出させた円形断面の取付軸３６が設けてある。
なお、ネックバンド３１は従来例のネックバンド１７と同様のもので、管状のネックバンドカバ−１９に弾性板１８と出力コ−ド１５とを通した構成のものである。
【００３１】
この取付軸３６は上記した取付孔３３に回転自在に嵌入できる断面径（太さ）を有する細長形としてあり、さらに、この取付軸３６には上記した固定用ねじ３４の先端部を突入させるリング状の凹形部３７が設けてある。
【００３２】
上記した咽喉マイクロホン３０を装着する場合は、先ず、取付部３５の取付軸３６をコ−ドカバ−３２の取付孔３３に嵌入する。
そして、固定用ねじ３４をねじ込み、その先端部を取付軸３６の凹形部３７内に突入させ、取付軸３６が抜け出ないようにする。
【００３３】
なお、この場合には、固定用ねじ３４は取付軸３６を回転自在とし、かつ、凹形部３７とでその抜け出しを防ぐようにねじ込み、咽喉マイクロホン３０の仮り止めを行なう。
【００３４】
その後、図３に示したように、ネックバンド３１を首２３にかけ、さらに、取付軸３６を軸心として咽喉マイクロホン３０を回転し、マイクロホン正面の向きを調節する。
【００３５】
すなわち、マイクロホン正面の顎の下部３８に当接するように調節し、その当接状態で固定用ねじ３４を最後までねじ込み、その先端部を凹形部３７の低部に突接させ、取付軸３６に対して咽喉マイクロホン３０を固定させる。
【００３６】
咽喉マイクロホン３０を上記のように装着することによって、咽喉部の声帯の振動と共に、声道及び口腔の共振による振動が受振され、発声による音声の振動が正確に電気変換される。
【００３７】
図４は上記のように装着した咽喉マイクロホン３０の音声信号を測定した測定結果を示す周波数特性図である。
なお、周波数特性は、音声「あ」を発音したときの測定結果である。
【００３８】
この周波数特性から分かるように、中音部（８００Ｈｚ〜３ｋＨｚ）の間の音圧レベルが上昇し、かつ、高周波成分についても充分に取り出されている。
したがって、この咽喉マイクロホン３０は、明瞭度の高い音声を復元できる音声信号を出力する。
【００３９】
図５は第２の実施形態を示す図１同様の咽喉マイクロホンの斜視図である。
この実施形態の咽喉マイクロホン３０は、コ−ドケ−ス３２の取付孔３３と取付部３５の取付軸３６とにロ−レット３３ａ、３６ａが形成してある。
このように構成することにより、取付軸３６に対する咽喉マイクロホン３０の回転調節位置を確実に保持することができる。
【００４０】
図６は第３の実施形態を示す図２同様の咽喉マイクロホンの断面図である。
この実施形態の咽喉マイクロホン３０は、取付部３５に設けた取付軸３６に、所定の間隔をおいて形成した複数の凹形部３７ａ、３７ｂ、３７ｃが設けてある。
【００４１】
このように構成すれば、取付軸３６の嵌入深さを変え、いずれかの凹形部に固定用ねじ３４の先端部をねじ込むようにすることにより、咽喉マイクロホン３０の取付け位置をネックバンド３１の延長軸方向に変えることができる。
具体的には、この咽喉マイクロホン３０は、マイクロホン正面の向き調節の他に、ネックバンド３１の延長軸方向のマイクロホン位置の調節を行なうことができる。
【００４２】
以上、本発明の好ましい実施形態について説明したが、コ−ドケ−ス３２以外の咽喉マイクロホン３０の構成は公知構成のものでよく、また、本発明を実施するに際しては取付軸３６の凹形部３７は必ずしも設けなくともよい。
【００４３】
さらに、取付軸３６をコ−ドケ−ス３２に設け、取付孔３３を取付部３５に設けるようにすることができ、また、ネックバンド３１を伸縮自在に構成すれば、ネックバンド３１の延長軸方向となる咽喉マイクロホン３０の位置調節を行なうことができる。
【産業上の利用可能性】
【００４４】
本発明の咽喉マイクロホンは、周囲の騒音が大きく、音声マイクロホンでは音声が騒音によって打ち消され、明瞭度の悪い音声信号となってしまう環境下で使用する。
例えば、飛行機の修理工場やトンネル内の工事現場などで対話するためのマイクロホンである。
【図面の簡単な説明】
【００４５】
【図１】第１の実施形態を示し、ネックバンドから咽喉マイクロホンを取り外した状態を示す斜視図である。
【図２】ネックバンドに咽喉マイクロホンを取付けた状態を示す断面図である。
【図３】上記した咽喉マイクロホンを装着した状態を示す図である。
【図４】上記した咽喉マイクロホンの周波数特性図である。
【図５】第２の実施形態を示す図１同様の斜視図である。
【図６】第３の実施形態を示す図２同様の断面図である。
【図７】従来例として示した咽喉マイクロホンの断面図である。
【図８】ネックバンドと、このネックバンドに取付けた従来の咽喉マイクロホンを示す図である。
【図９】従来の咽喉マイクロホンの装着状態を示す図である。
【図１０】従来の咽喉マイクロホンの周波数特性図である。
【符号の説明】
【００４６】
３０  咽喉マイクロホン
３１  ネックバンド
３２  コ−ドケ−ス
３３  取付孔
３４  固定用ねじ
３５  取付部
３６  取付軸
３７  凹形部
【図１】
2005117536.tif 000003
【図２】
2005117536.tif 000004
【図３】
2005117536.tif 000005
【図４】
2005117536.tif 000006
【図５】
2005117536.tif 000007
【図６】
2005117536.tif 000008
【図７】
2005117536.tif 000009
【図８】
2005117536.tif 000010
【図９】
2005117536.tif 000011
【図１０】
2005117536.tif 000012